(57)【要約】【課題】    大きさの異なる複数のカードを保持することができる運搬用容器を提供する。【解決手段】    運搬用容器は、複数種類の大きさの異なるカードを差し込むことができるカード保持部を有する運搬用容器であって、側板の外面より一段凹ませて第１凹部を形成し、前記第１凹部の下面にカード押えを突設してなる第１カード保持部と、前記第１凹部の一部にさらに一段凹ませて第２凹部を形成し、前記第２凹部の下面又は側面にカードを係止するカード係止リブを突設してなる第２カード保持部とを有することを特徴とする。第２カード保持部の少なくとも一方側に、前記第１凹部をさらに凹ませて第３凹部を形成し、前記第３凹部の下面又は側面にカードを係止するカード係止片を突設してなる第３カード保持部を有するように形成してもよい。【選択図】        図１
2014015237.tif 000002
【特許請求の範囲】
【請求項１】
複数種類の大きさの異なるカードを差し込むことができるカード保持部を有する運搬用容器であって、側板の外面より一段凹ませて第１凹部を形成し、前記第１凹部の下面にカード押えを突設してなる第１カード保持部と、前記第１凹部の一部にさらに一段凹ませて第２凹部を形成し、前記第２凹部の下面又は側面にカードを係止するカード係止リブを突設してなる第２カード保持部とを有することを特徴とする運搬用容器。
【請求項２】
第２カード保持部の少なくとも一方側に、前記第１凹部をさらに凹ませて第３凹部を形成し、前記第３凹部の下面又は側面にカードを係止するカード係止片を突設してなる第３カード保持部を有すること特徴とする請求項１に記載の運搬用容器。
【請求項３】
第２凹部には、第１カード保持部のカード押えを成形する際の型抜き用透孔と、第２カード保持部のカード係止リブを成形する際の型抜き用透孔が設けられていることを特徴とする請求項１又は２に記載の運搬用容器。
【請求項４】
第２凹部には、第３カード保持部のカード係止片を成形する際の型抜き用透孔が設けられていることを特徴とする請求項１又は２に記載の運搬用容器。
【発明の詳細な説明】
【技術分野】
【０００１】
この発明は、容器の識別、容器内に収納されている物品名、種類、数量、物品の行き先等を表示したカードを保持するためのカード保持部を一体に形成した運搬用容器に関するものである。
【背景技術】
【０００２】
従来、容器の識別、容器内に収納されている物品名、種類、数量、物品の行き先等を表示したカードを保持するためのカード保持体を装着した容器が使用されている。そして、カード保持体は、大小二種類のカードを保持することが可能なように、カード保持部を二段に形成したものが提案されている。
【０００３】
特許文献１のカード保持体は、周囲に大型カードの側部を止めるリブを設けて大型カード保持部とし、前記大型カード保持部の背面側の板面の一部を打ち抜くとともに、打ち抜いた透孔の側部に小型カードの側部を止めるリブを設けてなる。そして、容器に取り付けた際に、容器側壁と透孔との間を小型カードを保持する小型カード保持部としている。
【０００４】
また、特許文献２には、大小二種類のカードを保持するカード差しが開示されている。特許文献２のカード差しは、第１カード押え部材と第２カード押え部材を備えるとともに、各部材の少なくとも一箇所をヒンジ部によって折曲可能に形成し、前記第１カード押え部材と第２カード押え部材との間、及び第２カード押え部材と端面部材との間の二箇所にカード差込部をそれぞれ形成したものである。
【先行技術文献】
【特許文献】
【０００５】
【特許文献１】実公平６―４７７８０号公報
【特許文献２】特開平１０−２３６０５２号公報
【発明の概要】
【発明が解決しようとする課題】
【０００６】
特許文献１のカード保持体は、大小二種類のカードを差し込んで使用することができるものの、カード保持体は取り付ける容器に合わせて形成しなければならない。また、小型カードを保持する背面側の小型カード保持部は、容器の側壁との間に差し込むものであるから、カードの収容状態が窮屈になってカードの差し込み及び取り外しの作業がし難いという問題がある
【０００７】
また、特許文献２のカード差しも、大小二種類のカードを差し込んで使用することができるものの、使用する容器の側壁外面に取り付けるために、カードを保持する間隔を十分にとることができないおそれがある。さらに、特許文献１及び特許文献２とも、運搬用容器との一体成形ではなく別途成形して容器に取り付けるために、取り付け作業の手間がかかるとともに、費用が嵩むという問題がある。
【０００８】
この発明はかかる現況に鑑みてなされたもので、大中小三種類のカードを保持することができ、一体成形することにより安価な運搬用容器を提供することを目的とする。
【課題を解決するための手段】
【０００９】
この発明に係る運搬用容器は、複数種類の大きさの異なるカードを差し込むことができるカード保持部を有する運搬用容器であって、側板の外面より一段凹ませて第１凹部を形成し、前記第１凹部の下面にカード押えを突設してなる第１カード保持部と、前記第１凹部の一部にさらに一段凹ませて第２凹部を形成し、前記第２凹部の下面又は側面にカードを係止するカード係止リブを突設してなる第２カード保持部とを有することを特徴とする。また、第２カード保持部の少なくとも一方側に、前記第１凹部をさらに凹ませて第３凹部を形成し、前記第３凹部の下面又は側面にカードを係止するカード係止片を突設してなる第３カード保持部を有するように形成することができる。
【００１０】
前記第２凹部には、第１カード保持部のカード押えを成形する際の型抜き用透孔と、第２カード保持部のカード係止リブを成形する際の型抜き用透孔を設けることが好ましい。また、前記第３凹部には、第３カード保持部のカード係止片を成形する際の型抜き用透孔が設けることが好ましい。
【発明の効果】
【００１１】
大小種類の異なるカードを確実に保持することができ、カードの出し入れも容易に行うことができる。
【図面の簡単な説明】
【００１２】
【図１】カード保持部を形成した容器の一部を示す説明用斜視図である。
【図２】図１のＡ-Ａ線断面図である。
【図３】同じく図１のＢ-Ｂ線断面図である。
【図４】同じく図１のＣ-Ｃ線断面図である。
【図５】大型カードを差し込んだ使用状態の斜視図である。
【図６】中型カード及び小型カードを差し込んだ使用状態の斜視図である。
【発明を実施するための形態】
【００１３】
以下に、カード保持部を一体に形成した運搬用容器の実施形態について説明する。図１は、運搬用容器の一部を示す斜視図である。運搬用容器１は、平面方形状の底板２の端縁部に沿って、先に内側に折り畳む短辺側の側板３、３と、前記短辺側の側板３、３に隣接して後から折り畳む、対向する長辺側の側板４、４の４枚の側板が配設されている。前記４枚の側板３，３及び４，４は、底板２のそれぞれ端縁部において、図示しないヒンジ部によって折り畳み自在に連結されている。
【００１４】
前記短辺側の側板３、３と長辺側の側板４、４のそれぞれ両端上部には、図示しない公知のロック部が設けられている。長辺側の側板４、４が先に起立され、その後短辺側の側板３、３が起立すると、前記ロック部によって一体に組み立てられる。また、ロック部を解除すると組立て時とは逆の順序で折り畳まれるように構成されている。
【００１５】
なお、本願発明に係る運搬用容器は、上記のような組立式運搬用容器に限定されるものではなく、底板、側板が一体に形成された運搬用容器であってもよく、容器の構造について限定するものではない。
【００１６】
次に、側板の外面に形成されるカード保持部について説明する。本願発明のカード保持部１０は、第１カード保持部１１と第２カード保持部１２と第３カード保持部１３とからなる。この実施形態では、カード保持部１０を側板３に形成する場合について説明しているが、側板４側に形成してもよく、また、側板の全体ではなく一部に形成してもよい。
【００１７】
第１カード保持部１１は、側板３の外面に一段凹んだ第１凹部１１１を形成するとともに、前記第１凹部１１１の下面の段部１１２にカード押え１１３，１１４を突設することによって形成されている。前記第１凹部１１１の正面とカード押え１１３，１１４との間の隙間１１５にカードが差し込まれる。差し込まれたカードは、カード押え１１３，１１４によって確実に保持される。
【００１８】
前記カード押え１１３は、第１凹部１１の略中央部において段部１１２上に突設されている。カード押え１１３の下端部は内側上方に向かって傾斜し、上端部は外側上方に向かって傾斜した、略くの字状に形成されている。カード押え１１３の背面側には、カード押え１１３を形成する際の型抜き用の透孔１１３ａが設けられている。この実施形態では、カード押え１１３の背面側の第１凹部１１１には、後述するように第２カード保持部１１が形成されるので、前記透孔１１３ａは、第２カード保持部１２の正面に形成されることになる。
【００１９】
前記カード押え１１４は、カード押え１１３の両側に位置し、カード押え１１３よりは高さが高く形成されている。カード押え１１４の形状は、カード押え１１３とほぼ同一であって、下端部が内側上方に向かって傾斜し、上端部は外側上方に向かって傾斜した、略くの字状に形成されている。カード押え１１４の背面側の第１凹部１１１には、カード押え１１４を形成する際の型抜き用の透孔１１４ａが設けられている。
【００２０】
前記第１カード保持部１１には、図５に示すように、大型カードＫ１を差し込むことができ、カード押え１１３，１１４によって確実に保持される。また、カード押え１１３，１１４の上端部は外側上方に向かって傾斜しているから、カードの差し込み、取り出しを容易に行うことができる。なお、カード押え１１３の高さをカード押え１１４よりも低く形成したが、同一の高さであってもよい。また、カード押えの数は特に限定されるものではない。
【００２１】
前記第２カード保持部１２は、第１凹部１１１の中央部に設けられている。第２カード保持部１２は、第１凹部１１１の正面中央部に第１凹部１１１よりも一段凹んだ第２凹部１２１を設け、前記第２凹部１２１の側面前端部にカード係止リブ１２２を突設することによって形成されている。第２凹部１２１の背面とカード係止リブ１２２との間にカードを差し込む隙間１２３が形成される。前記カード係止リブ１２２の前面は第１凹部１１１の一部を形成している。
【００２２】
前記カード係止リブ１２２は、第２凹部１２１の下端両隅部に突設したが、側面中央部に突設してもよく、透孔１１３ａの両側に突設してもよい。カード係止リブ１２２を突設するために、第２凹部１２１の正面には、前記カード係止リブ１２２を投影する部分に型抜き用の透孔１２２ａが設けられている。
【００２３】
前記第３カード保持部１３は、第１凹部１１１の左右両端部に設けられている。第３カード保持部１３は、第１凹部１１１の両端部に第１凹部１１１よりも一段凹んだ第３凹部１３１を設け、前記第３凹部１３１の両側面の前端部にカード係止片１３２を突設することによって形成されている。前記カード係止片１３２は、図示する実施形態では、上下に２つ突設されているが、１つであっても良いし、第３凹部１３１の下端面にも突設することができる。
【００２４】
カード係止片１３２を突設するために、第３凹部１３１の正面には、前記カード係止片１３２を投影する部分に型抜き用の透孔１３２ａが設けられている。第３凹部１３１の正面とカード係止片１３２との間にカードを差し込む隙間１３３が形成され、この隙間１３３にカードを差し込むことができる。
【００２５】
第３カード保持部１３は、左右において同一の大きさであってもよいし、異なる大きさであってもよい。また、第３カード保持部１３は、第２カード保持部の両側に形成することに限定されるものではなく、一方側にのみ形成してもよい。
【００２６】
図６は、中型カードＫ２を第２カード保持部１２に、小型カードＫ３を第３カード保持部１３にそれぞれ差し込んだ使用状態を示す。カードの大きさに応じてカード保持部を使い分けることができ、確実に保持することができる。
【符号の説明】
【００２７】
１０：カード保持部
１１：第１カード保持部
１２：第２カード保持部
１３：第３カード保持部
１１１：第１凹部
１２１：第２凹部
１３１：第３凹部
１１２：段部
１１３，１１４：カード押え
１１３ａ：，１１４ａ：透孔
１２２：カード係止リブ
１３２：カード係止片
【図１】
2014015237.tif 000003
【図２】
2014015237.tif 000004
【図３】
2014015237.tif 000005
【図４】
2014015237.tif 000006
【図５】
2014015237.tif 000007
【図６】
2014015237.tif 000008